(57)【要約】【課題】水槽内に設けた飲料冷却管への飲料流入側接続用素子として継手を用いる場合に、当該継手を取り付け具に取り付ける際に生じがちな当該取り付け具の変形を防止すべく、この取り付け具の形状に強度を増すように工夫を凝らしてなる飲料冷却装置を提供する。【解決手段】ブラケット２０ｄにおいて、前壁２８は、その左右両支持壁部２８ｃにて、環状延出部位２５の前壁開口部２５ｂにその前側からねじ２８ｄにより締着されている。このため、この前壁２８は、前壁部２８ａを前壁開口部２５ｂの開口面に並行に位置させるように、前壁部２８ａ及び左右両壁部２８ｂでもって、前側へコ字状に突出している。継手３０は、その筒状流出口部の雄ねじ部にて、ブラケット２０ｄの前壁部２８ａの左端部に形成した雌ねじ孔部内に同軸的に締着されてブラケット２０ｄに取り付けられている。【選択図】    図２
2005016736.tif 000002
【特許請求の範囲】
【請求項１】
飲料冷却室内に設けられる水槽であって上側に向けて開口する水槽開口部を有してなる水槽と、この水槽内に蓄えられる冷却水を冷却するために前記水槽内に設けられる蒸発器と、前記水槽内に設けられて流入飲料を前記冷却水でもって冷却する飲料冷却管と、
前記飲料冷却室の周壁のうち前記水槽開口部の上側に位置する周壁部位に形成した周壁開口部の横方向両端部に支持される両支持壁部、これら両支持壁部から互いに並行に前記周壁開口部の前側へ延出する両延出壁部及び前記周壁開口部に並行となるように前記両延出壁部に亘り一体に形成した対向壁部を有する取り付け具と、
飲料供給源から延出する飲料供給路と前記水槽開口部を通り上方へ延出する前記飲料冷却管とを接続する継手であってその外周部にて前記取り付け具の前記対向壁部に形成した孔部に嵌着される継手とを備えて、
前記飲料供給源からの飲料を前記飲料供給路及び前記継手を通し前記飲料冷却管内にその流入端部から前記流入飲料として供給するようにした飲料冷却装置。
【請求項２】
前記飲料冷却室は、ハウジングと、このハウジング内に前記水槽を内包するように収容される筒状断熱層であってその上端部にて前記周壁開口部の下側に位置する筒状断熱層とを備え、
前記取り付け具は、前記対向壁部の下端部から前記周壁開口部の下端部を通り前記断熱層の上端部のうち前記周壁開口部側の部位上に延出する底壁であってその横方向両端部にて前記両延出壁部の各下端部と一体な底壁を備えることを特徴とする請求項１に記載の飲料冷却装置。
【発明の詳細な説明】
【０００１】
【発明の属する技術分野】
本発明は、飲料注出システムに係り、特に、当該飲料注出システムに採用される飲料冷却装置に関するものである。
【０００２】
【従来の技術】
従来、この種の飲料注出システムとしては、下記特許文献１に開示された冷飲料供給装置がある。この冷飲料供給装置では、蒸発パイプが冷水タンク内に立設されており、この蒸発パイプは、その冷却機能により、当該冷水タンク内の冷却用水を冷却する。
【０００３】
また、冷却コイルが冷水タンク内において蒸発パイプの内側に立設されている。
この冷却コイル内に給水源から水が飲料として供給されると、この水は、冷水タンク内の水により冷却コイルを介し冷却される。このように冷却された水は、冷却コイルから注出機としての電磁弁に供給され、この電磁弁の出力ポートから飲料として注出される。ここで、電磁弁は、当該ブラケットの立ち上がり壁に取り付けられているが、当該ブラケットは、蓋の外周部上に支持した底壁の外端部から上方へＬ字状に立ち上がり壁を延出させて構成されている。
【０００４】
【特許文献１】
特開２０００−２２０９３８号公報
【０００５】
【発明が解決しようとする課題】
ところで、上述のような上記飲料供給装置における冷却コイルからの飲料の電磁弁による注出構成を、飲料注出システムにおける飲料供給源から冷却コイルへの飲料供給構成に適用する場合には、通常、電磁弁ではなく、継手が用いられる。この場合、当該継手は、その出力側筒状雄ねじ部を、立ち上がり壁に設けた取り付け孔部にねじ込んで締着することで、立ち上がり壁に取り付けられる。
【０００６】
しかしながら、ブラケットの立ち上がり壁は単なる平板状のものであるから、当該立ち上がり壁は強度的に弱い。このため、継手の出力側筒状雄ねじ部を例えばスパナにより立ち上がり壁の取り付け孔部にねじ込むと、このねじ込みの際に、当該立ち上がり壁が、スパナによるねじ込み力を受けて変形するという不具合を招く。
【０００７】
そこで、本発明は、このようなことに対処するため、水槽内に設けた飲料冷却管への飲料流入側接続用素子として継手を用いる場合に、当該継手を取り付け具に取り付ける際に生じがちな当該取り付け具の変形を防止すべく、この取り付け具の形状に強度を増すように工夫を凝らしてなる飲料冷却装置を提供することを目的とする。
【０００８】
【課題を解決するための手段】
上記課題の解決にあたり、本発明に係る飲料冷却装置は、請求項１の記載によれば、飲料冷却室（２０、２０ａ、２０ｂ）内に設けられる水槽であって上側に向けて開口する水槽開口部（２１ａ）を有してなる水槽（２１）と、この水槽内に蓄えられる冷却水を冷却するために当該水槽内に設けられる蒸発器と、水槽内に設けられて流入飲料を上記冷却水でもって冷却する飲料冷却管と、
飲料冷却室の周壁のうち上記水槽開口部の上側に位置する周壁部位（２５）に形成した周壁開口部（２５ｂ）の横方向両端部に支持される両支持壁部（２８ｃ）、これら両支持壁部から互いに並行に上記周壁開口部の前側へ延出する両延出壁部（２８ｂ）及び上記周壁開口部に並行となるように上記両延出壁部に亘り一体に形成した対向壁部（２８ａ）を有する取り付け具（２０ｄ）と、
飲料供給源（Ｔ、Ｇ）から延出する飲料供給路（Ｔ１）と上記水槽開口部を通り上方へ延出する飲料冷却管とを接続する継手であってその外周部にて取り付け具の上記対向壁部に形成した孔部（２８ｅ）に嵌着される継手（３０）とを備えて、飲料供給源からの飲料を飲料供給路及び継手を通し飲料冷却管内にその流入端部から上記流入飲料として供給する。
【０００９】
これによれば、継手の取り付け具に対する取り付けは、継手をその外周部にて取り付け具の対向壁部の孔部内に同軸的に嵌着することで、なされる。
【００１０】
ここで、この嵌着は、継手の外周部を対向壁部の孔部内に適宜な工具或いは手で押し込むことでなされるが、この押し込みの際に、工具や手による押し込み力が取り付け具の対向壁部に作用することとなる。
【００１１】
しかし、上述のことから分かるように、取り付け具の対向壁部は、両延出壁部と相俟って、略コ字状となるように形成され、かつ、両支持壁部にて、飲料冷却室の周壁開口部に支持されている。このため、このような支持のもと、対向壁部が両延出壁部と共に略コ字状の形状を有することで、当該対向壁部に上述した工具や手による押し込み力が作用しても、この対向壁部が変形することなく原形を保持し得る。その結果、継手と飲料冷却管との流入側での接続や継手と飲料供給路との接続が容易にかつ確実に行える。
【００１２】
なお、上記継手の外周部にねじ部を形成し、取り付け具の上記対向壁部に形成した孔部をねじ孔部として、当該ねじ部を上記対向壁部のねじ孔部に締着するようにした場合には、継手の取り付け具に対する取り付けは、継手をそのねじ部にて取り付け具の対向壁部のねじ孔部内に同軸的に締着することで、なされる。
【００１３】
ここで、この締着は、継手のねじ部を対向壁部のねじ孔部内に例えばスパナによりねじ込むことでなされるが、このねじ込みの際に、スパナによるねじ込み力が取り付け具の対向壁部に作用することとなる。
【００１４】
しかし、上述のことから分かるように、取り付け具の対向壁部は、両延出壁部と相俟って、略コ字状となるように形成され、かつ、両支持壁部にて、飲料冷却室の周壁開口部に支持されている。このため、このような支持のもと、対向壁部が両延出壁部と共に略コ字状の形状を有することで、当該対向壁部に上述したスパナによるねじ込み力が作用しても、この対向壁部が変形することなく原形を保持し得る。その結果、継手と飲料冷却管との流入側での接続や継手と飲料供給路との接続が容易にかつ確実に行える。
【００１５】
また、本発明は、請求項２の記載によれば、請求項１に記載の飲料冷却装置において、飲料冷却室は、ハウジング（２０ａ）と、このハウジング内に水槽を内包するように収容される筒状断熱層であってその上端部にて上記周壁開口部の下側に位置する筒状断熱層（２０ｂ）とを備え、
取り付け具は、上記対向壁部の下端部から上記周壁開口部の下端部を通り断熱層の上端部のうち上記周壁開口部側の部位上に延出する底壁であってその横方向両端部にて上記両延出壁部の各下端部と一体な底壁（２７）を備えることを特徴とする。
【００１６】
これによれば、取り付け具の底壁は、その前端部及び横方向両端部にて、対向壁部及び両延出壁部の下端部と一体となっている。しかも、上述したように、当該底壁は、上記対向壁部の下端部から上記周壁開口部の下端部を通り断熱層の上端部のうち上記周壁開口部側の部位上に延出している。
【００１７】
このため、底壁は、その横方向両端部及び前端部にて、対向壁部及び両延出壁部により閉鎖され、かつ、周壁開口部を介し断熱層上に亘り延出して、断熱層とハウジングとの境界を閉鎖している。
【００１８】
よって、上記飲料冷却管を継手から取り外した際に、継手や飲料冷却管から飲料が漏れ出たり、当該継手や飲料冷却管の結露が露となって落下しても、この飲料や露が断熱層とハウジングとの境界内に浸入することはない。従って、飲料冷却装置が取り付け具の下側に制御回路を備えていても、この制御回路が上述のように漏れ出る飲料や落下する露に付着されて故障することもない。
【００１９】
なお、上記各手段の括弧内の符号は、後述する実施形態に記載の具体的手段との対応関係を示すものである。
【００２０】
【発明の実施の形態】
以下、本発明の一実施形態を図面に基づいて説明する。図１は、本発明に係る飲料注出システムの一実施形態を示しており、この飲料注出システムは、装置本体である飲料冷却装置Ｂ、ガスボンベＧ、飲料樽Ｔ及び注出機Ｄによって構成されている。
【００２１】
飲料冷却装置Ｂは、図１にて示すごとく、設置面上に設置した機械室１０と、この機械室１０上に載置固定した飲料冷却室２０とを備えている。機械室１０内には、冷凍ユニットが、コイル状蒸発器を除き、給水ポンプと共に収容されており、当該冷凍ユニットは、その循環冷媒により、上記蒸発器に冷却機能を発揮させる。
【００２２】
上記給水ポンプは、飲料冷却室２０内の水槽２１（図３参照）から冷却水を汲み出して、冷却水循環ホース１１（図３参照）及び水槽２１の開口部上の支持壁２２ａに設けた継手２３ａ（図３参照）を通して断熱ホースＨ内の冷却ホースｈ１内に圧送する。なお、冷却水循環ホース１１は、機械室１０から飲料冷却室２０内を通りその上側空所２０ｃ（後述する）内に延出し、支持壁２２ａの下側から継手２３ａの流入孔に接続されている。
【００２３】
飲料冷却室２０は、図１〜図３から分かるように、ハウジング２０ａと、このハウジング２０ａ内に収容した筒状断熱層２０ｂ（図３参照）とを備えており、断熱層２０ｂ内には、冷却水を蓄える上記水槽２１、この水槽２１内に立設した上記蒸発器、及びこの蒸発器内に立設したコイル状飲料冷却管が収容されている。これにより、上記蒸発器は、その冷却機能によって、水槽２１内の冷却水を冷却し、また、上記飲料冷却管は、その内部に後述のように流入する飲料を、水槽２１内の冷却水でもって冷却する。なお、水槽２１は、その開口部に設けた環状フランジ部２１ａにて、断熱層２０ｂの上端部を上方から被覆している。
【００２４】
ここで、当該飲料冷却管は、その流出端部でもって、支持壁２２ａの下側から当該支持壁２２ａに設けた継手２４（図３参照）の流入孔に接続されている。また、当該継手２４は、上側空所２０ｃ内にて、断熱ホースＨ内の飲料ホースｈ２の流入端部に接続されている。なお、飲料ホースｈ２は、冷却ホースｈ１との抱き合わせでもって、断熱ホースＨにより並行に被覆されている。また、冷却ホースｈ１は、断熱ホースＨの外端部にてＵ字状に折り曲げられてホースＨの内部を戻り上側空所２０ｃ内で支持壁２２ａに設けた継手２３ｂを介し当該支持壁２２ａの下側の水槽２１の開口部に向け延出している。
【００２５】
上記上側空所２０ｃは、ハウジング２０ａのうち断熱層２０ｂの上端開口部及び水槽２１の開口部よりも上方へ延出する環状延出部位２５の内側にて、ハウジング２０ａの上壁２６及び各支持壁２２ａ、２２ｂ、２２ｃ、２２ｄとの間に形成されている（図２及び図３参照）。なお、各支持壁２２ａ〜２２ｄは、その両端部にて、水槽２１のフランジ部２１ａ上に並んで支持されている。また、断熱ホースＨは、その内端部にて、ハウジング２０ａの環状延出部位２５の左壁に設けた挿通穴部２５ａ内に延出しているが、図３では、便宜上、断熱ホースＨの図示は、冷却ホースｈ１及び飲料ホースｈ２の図示と共に、省略されている。
【００２６】
また、飲料冷却室２０は、図２及び図３にて示すごとく、ブラケット２０ｄを備えており、このブラケット２０ｄは、飲料冷却室２０の上側空所２０ｃ、即ちハウジング２０ａの環状延出部位２５の前壁開口部２５ｂに次のような構成にて取り付けられている。
【００２７】
当該ブラケット２０ｄは、図３及び図４にて示すごとく、長手四角板形状の底壁２７及び図示折り曲げ板形状の前壁２８でもって、アルミニウムや亜鉛等の金属板材料により一体に形成されている。前壁２８は、図２及び図３から分かるように、底壁２７の外端部（前端部）から上方へＬ字状に延出する前壁部２８ａと、この前壁部２８ａの左右両端部から上側空所２０ｃ内側へＬ字状に延出する左右両壁部２８ｂと、この左右両壁部２８ｂの内端部から互いに外方へＬ字状に延出する左右両支持壁部２８ｃとを備えている。ここで、当該左右両壁部２８ｂは、その下端部にて、底壁２７の左右両端部と一体に形成されている。
【００２８】
このように構成したブラケット２０ｄにおいて、底壁２７は、図４及び図５にて示すごとく、環状延出部位２５の前壁開口部２５ｂの下端部から前側へＬ字状に延出する支持壁部２５ｃ上に載置されており、この底壁２７は、図３にて示すように、その内端部２７ａ（後端部２７ａ）にて、環状延出部位２５の前壁開口部２５ｂの前側から当該前壁開口部２５ｂを通りその後側に位置する水槽２１のフランジ部２１ａの前側部２１ｂ上に沿い延出している。
【００２９】
また、前壁２８は、その左右両支持壁部２８ｃにて、環状延出部位２５の前壁開口部２５ｂにその前側からねじ２８ｄにより締着されている。このため、この前壁２８は、前壁部２８ａを前壁開口部２５ｂの開口面に並行に位置させるように、前壁部２８ａ及び左右両壁部２８ｂでもって、前側へコ字状に突出している。
【００３０】
また、当該ブラケット２０ｄには、継手３０が、図２及び図３にて示すごとく、取り付けられており、この継手３０は、飲料樽Ｔの飲料供給孔から延出する飲料供給ホースＴ１を、その流出端部Ｔ２（図１参照）にて、水槽２１内の上記飲料冷却管の流入端部ａ（図３参照）に接続するためのものである。当該継手３０は、
継手本体３１と、この継手本体３１内にその流入端部から連通するＬ字筒状流入口部３２と、継手本体３１内にその流出端部から連通する筒状流出口部とにより、一体に形成されているもので、上記筒状流出口部の外周面には雄ねじ部が形成されている。
【００３１】
しかして、当該継手３０は、その筒状流出口部の雄ねじ部にて、ブラケット２０ｄの前壁部２８ａの左端部に形成した雌ねじ孔部２８ｅ（図４参照）内に同軸的に締着されてブラケット２０ｄに取り付けられており、この継手３０は、その継手本体３１及び筒状流入口部３２にて、ブラケット２０ｄの前壁部２８ａから上側前カバー４０の切り欠き４１（図１参照）を通り前側へかつ下方へＬ字状に突出している。また、継手３０は、その筒状流出口部にて、筒状キャップ３３内に支持壁２２ｄの切り欠き（図３参照）を通り延出する水槽２１内の上記飲料冷却管の流入端部ａに接続されている。なお、キャップ３３は、ブラケット２０ｄの前壁部２８ａにその上記雌ねじ孔部と同軸的に上側空所２０ｃ内から装着されて、継手３０の筒状流出口部を覆蓋している。
【００３２】
上側前カバー４０は、図１にて示すごとく、コ字状のもので、この前カバー４０は、図１及び図５から分かるように、ハウジング２０ａの上壁２６のうち環状延出部位２５の前壁開口部２５ｂよりも前側へ延出する延出部位２６ａの直下にて、ブラケット２０ｄをその前側から覆うように、前壁開口部２５ｂに取り付けられている。
【００３３】
また、前側パネル５０は、ハウジング２０ａの前壁に前後方向に開閉可能に支持されており、この前側パネル５０の開口部５１内を通して、操作パネル６０が外方へ露呈している（図１及び図２参照）。この操作パネル６０は、図４にて示すごとく、ブラケット２０ｄの下方にて、ハウジング２０ａの前壁に制御装置７０を介し取り付けられている。
【００３４】
制御装置７０は、図４或いは図５にて示すごとく、ケーシング７１と、このケーシング７１内に収容した制御回路７２とを備えており、ケーシング７１は、その後壁７１ａにて、ハウジング２０ａの前壁に装着されている。制御回路７２は、ケーシング７１の後壁７１ａにその内面側から装着されている。ここで、後壁７１ａは、ハウジング２０ａの前壁を介し断熱層２０ｂの前壁に沿うように位置している。
【００３５】
飲料樽Ｔは、図１にて示すごとく、その飲料供給ホースＴ１の延出端部Ｔ２にて、継手３０の筒状流入口部３２に接続されており、この飲料樽Ｔは、ガスボンベＧから圧送されるガスに基づき飲料を飲料供給ホースＴ１を通して継手３０内にその流入口部３２から供給し当該継手３０の本体３１及び流出口部を通して飲料冷却室２０内の飲料冷却管内にその流入端部ａから流入させる。飲料抽出機Ｄは、その流入ホースにて、断熱ホースＨ内の飲料ホースｈ２を介し上記飲料冷却管から飲料を流入される。なお、飲料抽出機Ｄは図１にて示すごとくカウンタに設けられている。
【００３６】
以上のように構成した本実施形態において、継手３０のブラケット２０ｄに対する取り付けは、継手３０の流出口部をその雄ねじ部にてブラケット２０ｄの前壁部２８ａの雌ねじ孔部２８ｅ内に同軸的に締着することで、なされる。
【００３７】
ここで、この締着は、継手３０の流出口部の雄ねじ部を前壁部２８ａの雌ねじ孔部２８ｅ内に例えばスパナによりねじ込むことでなされるが、このねじ込みの際に、スパナによるねじ込み力がブラケット２０ｄの前壁２８に作用することとなる。
【００３８】
しかし、上述したように、ブラケット２０ｄの前壁２８は、前壁部２８ａ及び左右両壁部２８ｂでもって、コ字状となるように金属板材料でもって形成され、かつ、左右両支持壁部２８ｃにて、ハウジング２０ａの前壁開口部２５ｂに支持されている。このため、このような支持のもと、前壁部２８ａがその左右両壁部２８ｂと共にコ字状の形状を有することで、当該前壁２８に上述したスパナによるねじ込み力が作用しても、前壁部２８ａが変形することなく原形を保持し得る。
【００３９】
従って、継手３０は、ハウジング２０ａの前壁開口部２５ｂの開口面に直交するように、ブラケット２０ｄにより正常に支持され得る。その結果、継手３０の流出口部と上記飲料冷却管の流入端部ａとの間の接続、キャップ３３の前壁部２８ａに対する装着や継手３０の流入口部３２と飲料供給ホースＴ１の流出端部Ｔ２との接続が容易にかつ確実に行える。
【００４０】
然る後、当該飲料注出システムにおいて、飲料冷却装置Ｂを作動状態におけば、水槽２１内の冷却水が上記蒸発器によりその冷却機能でもって冷却される。また、上記給水ポンプが水槽２１内の冷却水を汲んで冷水循環ホース１１内に圧送すると、この冷却水は、冷水循環ホース１１から継手２３ａ、断熱ホースＨ内の冷却ホースｈ１内に流入した後、継手２３ｂを通り水槽２１内に環流する。
【００４１】
また、飲料がガスボンベＧからの圧送ガスに基づき飲料タンクＴから飲料供給ホースＴ１内に供給されると、この飲料は、飲料供給ホースＴ１から流出し継手３０を通り上記飲料冷却管内にその流入端部ａから流入する。ここで、上述のごとく、継手３０は、ブラケット３０を介し、飲料供給ホースＴ１の延出端部Ｔ２及び上記飲料冷却管の流入端部ａに正常に接続されているので、継手３０の飲料供給ホースＴ１や上記飲料冷却管との接続部位から飲料が漏れることもない。従って、飲料樽Ｔからの飲料は損失を伴うことなく効率よく上記飲料冷却管内に供給される。
【００４２】
このようにして飲料冷却管内に流入する飲料は、水槽２１内の冷却水により冷却されて、継手２４を通り断熱ホースＨ内の飲料ホースｈ２内に供給される。すると、この供給飲料は、冷却ホースｈ１内の冷却水により冷却されて飲料注出機Ｄに流入する。従って、飲料注出機Ｄから注出される飲料は飲み頃に冷えた状態に維持され得る。
【００４３】
然る後、当該飲料注出システムの保守点検等を行うにあたり、上壁２６を取り外すとともにキャップ３３をブラケット２０ｄの前壁部２８ａから取り外して、上記飲料冷却管の流入端部ａを継手３０の流出口部３２から取り外すことがある。この取り外しの際に、継手３０の流出口部３２や上記飲料冷却管の流入端部ａから飲料が漏れ出て上側空所２０ｃ内にて水槽２１のフランジ部２１ａとハウジング２０ａの前壁との間の近傍にこぼれ落ちることがある。
【００４４】
しかし、上述したように、ブラケット２０ｄの底壁２７は、その前端部及び左右両端部にて、前壁部２８ａ及び左右両壁部２８ｂの下端部と一体となっている。しかも、上述したように、当該底壁２７は、その後端部２７ａにて、環状延出部位２５の前壁開口部２５ｂの前側から当該前壁開口部２５ｂを通り水槽２１のフランジ部２１ａの前端部２１ｂ上に沿い延出している。
【００４５】
このため、底壁２７は、その左右両端部及び前端部にて、コ字状の前壁２８により閉鎖され、かつ、前壁開口部２５ｂの下端部にて、支持壁２５ｃからハウジング２０ａの前壁を介し水槽２１のフランジ部２１ａ上に亘り延出して、この前側部２１ｂ、換言すれば、断熱層２０ｂの前壁とハウジング２０ａの前壁との境界を閉鎖している。
【００４６】
従って、上述のように漏れ出る飲料が断熱層２０ｂの前壁とハウジング２０ａの前壁との境界内に浸入することがなく、ケーシング７１内への後壁７１ａのねじ孔等を介する浸入を確実に防止できる。その結果、制御回路７２が、上述のように漏れ出る飲料に付着されて故障するという事態の発生を未然に防止できる。このようなことは、継手３０や飲料冷却管の流入端部ａの結露が露となって落下しても、同様に達成し得る。
【００４７】
なお、本発明の実施にあたり、継手３０の筒状流出口部の外周部に限ることなく、当該継手３０の継手本体３１の外周部或いは筒状流入口部３２の外周部に雄ねじ部を形成して、この雄ねじ部をブラケット２０ｄの雌ねじ孔部２８ｅに締着するようにしてもよい。
【００４８】
また、本発明の実施にあたり、飲料冷却装置Ｂが、飲料冷却室２０の前壁に限ることなく、例えば、当該飲料冷却室２０の左側壁或いは右側壁に、上記飲料冷却管への飲料樽Ｔからの飲料の供給部位を有する場合には、当該飲料冷却室２０の上側空所２０ｃの左側壁或いは右側壁に形成した開口部にブラケット２０ｄを上記実施形態にて述べたと実質的に同様に取りつけて、当該ブラケット２０ｄに継手３０を取り付けるようにしてもよい。
【００４９】
また、本発明の実施にあたり、ブラケット２０ｄに限ることなく、このブラケットと同様の構成を有する取り付け具をブラケット２０ｄに代えて採用してもよい。
【００５０】
また、本発明の実施にあたり、継手３０の外周部に形成した雄ねじ部を廃止し、また、ブラケット２０ｄの雌ねじ孔部を単なる孔部として、継手３０の外周部をブラケット２０ｄの孔部に嵌着するようにしても、上記実施形態と実質的に同様の作用効果を達成できる。
【図面の簡単な説明】
【図１】本発明の一実施形態の全体構成を示す概略斜視図である。
【図２】図１の装置本体の斜視図である。
【図３】図２の装置本体の内部を上壁を取り外した状態で見た部分破断拡大斜視図である。
【図４】図２の装置本体のハウジングを前側から見た部分破断正面図である。
【図５】図４にて５−５線に沿う概略断面図である。
【符号の説明】
２０…飲料冷却室、２０ａ…ハウジング、２０ｂ…断熱層、２０ｄ…ブラケット、２１…水槽、２１ａ…開口部、２５…環状延出部位、２５ｂ…前壁開口部、２７…底壁、２８ｂ…左右両壁、２８ｃ…左右両支持壁部、２８ｅ…雌ねじ孔部、３０…継手、Ｔ…飲料樽、Ｔ１…飲料供給ホース、Ｇ…ガスボンベ。
【図１】
2005016736.tif 000003
【図２】
2005016736.tif 000004
【図３】
2005016736.tif 000005
【図４】
2005016736.tif 000006
【図５】
2005016736.tif 000007